(57)【要約】  本発明は、遊戯者がより変化に富んだ遊びをすることや、遊戯者をより楽しく遊ばせること、子供達の興味をより強く引くことができる遊戯装置に関する。遊戯装置１は、起立状態に配置されて子供などの遊戯者Ｙが登り降りするポール１１，３１をそれぞれ備えた第１遊戯部１０及び第２遊戯部３０を有する。第１遊戯部１０は、湾曲部１１ａを備えたポール１１と、ポール１１の両端部を回転自在に支持する支持機構と、ポール１１を回転させる回転駆動機構とからなる。第２遊戯部３０は、円管状且つ透明に形成されたポール３１と、円管状且つ透明に形成されてポール３１の内部にこれと同軸に配設され、外周面に装飾３２ａが施された装飾体３２と、装飾体３２の内部に設けられる光源３３と、ポール３１及び装飾体３２の両端部をそれぞれ支持するとともに、装飾体３２を回転自在に支持する支持機構と、装飾体３２を回転させる回転駆動機構とからなる。
2008029826.tif 000002
【特許請求の範囲】
【請求項１】
予め設定された方向に沿って形成されて起立状態に配置され、遊戯者が登り降りするポールと、
前記ポールの上端部若しくは下端部又は両端部を支持する支持手段であって、前記ポールの端部を支持する軸受を有し、この軸受によって、前記ポールがこの軸受の軸線中心に回転自在となるように支持する支持手段と、
前記ポールを前記軸受の軸線中心に回転させる回転駆動手段とを備えてなることを特徴とする遊戯装置。
【請求項２】
前記ポールは、その両端部間に湾曲部又は屈曲部を備えてなることを特徴とする請求項１記載の遊戯装置。
【請求項３】
前記ポールは、その外周面に装飾が施されてなることを特徴とする請求項１記載の遊戯装置。
【請求項４】
前記ポールは、管状の部材且つ光を透過可能な部材から構成され、
前記ポールの内部には、光が前記ポールの内側から外側に透過するように該ポールの内部を照明する光源が設けられてなることを特徴とする請求項３記載の遊戯装置。
【請求項５】
前記ポールは、下端部が封止された管状の部材且つ光を透過可能な部材から構成され、内部に液体が充填されてなり、
前記ポールの下端部には、該ポールの内部に気体を供給する気体供給手段が接続されてなることを特徴とする請求項１記載の遊戯装置。
【請求項６】
光が前記ポールの内側から外側に透過するように該ポールの内部を照明する光源を更に備えてなることを特徴とする請求項５記載の遊戯装置。
【請求項７】
管状の部材且つ光を透過可能な部材から構成されて軸線が上下方向に配設され、遊戯者が登り降りするポールと、
管状の部材且つ光を透過可能な部材から構成されて前記ポールの内部に配設され、外周面に装飾が施された装飾体と、
光が前記装飾体の内側から外側に透過するように該装飾体の内部を照明する光源と、
前記ポール及び装飾体の上端部若しくは下端部又は両端部をそれぞれ支持するとともに、これらポール及び装飾体の一方又は両方が軸線中心に回転自在となるように支持する支持手段と、
前記ポール及び装飾体の一方又は両方を軸線中心に回転させる回転駆動手段とを備えてなることを特徴とする遊戯装置。
【請求項８】
前記ポールは、その外周面に装飾が施されてなることを特徴とする請求項７記載の遊戯装置。
【請求項９】
前記ポールの下端部側の周辺領域に設けられたクッションを更に備えてなることを特徴とする請求項１乃至８記載のいずれかの遊戯装置。
【発明の詳細な説明】
【技術分野】
【０００１】
本発明は、予め設定された方向に沿って形成されて起立状態に配置されたポールを備え、遊戯者がこのポールを登り降りして遊ぶように構成された遊戯装置に関する。
【背景技術】
【０００２】
前記遊戯装置として、従来、例えば、特開平１１−３３１３６号公報に開示されたものが知られている。この遊戯装置は、円管状に形成され、軸線が上下方向に配設されたポールと、このポールの上端部及び下端部をそれぞれ支持，固定する支持部材とからなり、前記ポールは、その外周面に螺旋状をした凹凸が形成されている。【０００３】
そして、この遊戯装置では、子供などの遊戯者は、手足を使ってポールを登り降りすることで遊ぶことができる。登り降りの際には、螺旋状をした凹凸によって、ポールを握る手やポールを挟む足が滑るのが防止され、これにより、遊戯者は、安全に登り降りすることができる。【０００４】
【特許文献１】特開平１１−３３１３６号公報
【発明の開示】
【発明が解決しようとする課題】
【０００５】
ところが、上記従来の遊戯装置では、当該遊戯装置における遊びが単調なものとなり易く、飽き易いという問題があった。また、この遊戯装置は、極めて一般的な遊戯装置である、いわゆる登り棒と何ら変わらないものであり、登り棒で遊び慣れた子供達を引き付け難いという問題もある。【０００６】
本発明は、以上の実情に鑑みなされたものであって、遊戯者がより変化に富んだ遊びをすることや、遊戯者をより楽しく遊ばせること、子供達の興味をより強く引くことができる遊戯装置の提供をその目的とする。
【課題を解決するための手段】
【０００７】
上記目的を達成するための本発明は、
予め設定された方向に沿って形成されて起立状態に配置され、遊戯者が登り降りするポールと、
前記ポールの上端部若しくは下端部又は両端部を支持する支持手段であって、前記ポールの端部を支持する軸受を有し、この軸受によって、前記ポールがこの軸受の軸線中心に回転自在となるように支持する支持手段と、
前記ポールを前記軸受の軸線中心に回転させる回転駆動手段とを備えてなることを特徴とする遊戯装置に係る。【０００８】
この遊戯装置によれば、子供などの遊戯者は、回転駆動手段によって支持手段の軸受の軸線中心に回転せしめられるポールを手足を使って登り降りすることで遊ぶことができる。ポールが軸線中心に回転しているので、遊戯者は、ポールとともに回転するときの感覚を楽しみつつ当該遊びを楽しむことができる。【０００９】
このように、本発明に係る遊戯装置によれば、ポールを登り降りする遊戯者自身の動作と、ポールの回転動作とが複合して、遊戯者は、従来にはない変化に富んだ遊びや感覚を楽しむことができる。また、ポールや遊戯者の回転動作を見た、当該遊戯装置の周りにいる子供達に対し、当該遊戯装置で遊びたいという興味を持たせてこの遊戯装置で遊ばせるようにすることもできる。【００１０】
尚、前記ポールは、その両端部間に湾曲部又は屈曲部を備えて構成されていても良い。このようにすれば、ポール自体に変化を持たせて、ポールがまっすぐに形成されているときよりもポールの登り降りに変化を持たせたり、ポールの登り降りを難しくすることができ、当該遊戯装置での遊びをより面白いものとすることができる。【００１１】
また、前記ポールは、その外周面に装飾が施されて構成されていても良い。このようにすれば、遊戯者自身を楽しませることは勿論のこと、この装飾を見た、当該遊戯装置の周りにいる子供達の興味を引いてこの遊戯装置で遊ばせるようにすることもできる。ここで、装飾としては、特に限定されるものではないが、例えば、各種の模様をポールの表面に表すことなどを挙げることができる。また、ポールが軸線中心に回転するので、表面に表れた模様などが変化するという面白さを得ることもできる。【００１２】
また、前記ポールは、管状の部材且つ光を透過可能な部材から構成され、前記ポールの内部には、光が前記ポールの内側から外側に透過するように該ポールの内部を照明する光源が設けられていても良い。このようにすれば、光源からの光によってポールの外周面に施された装飾を際立たせ、装飾効果をより高めることができる。【００１３】
また、前記ポールは、下端部が封止された管状の部材且つ光を透過可能な部材から構成され、内部に液体が充填されてなり、前記ポールの下端部には、該ポールの内部に気体を供給する気体供給手段が接続されていても良い。このようにすれば、気体供給手段によってポールの下端部からその内部に気体が供給されると、供給された気体が気泡となってポール内の液体中を上昇するので、遊戯者は、気泡が流れる様子を見ながらポールを登り降りすることができ、遊戯者をより楽しく遊ばせることができる。また、この遊戯装置の周りにいる子供達に気泡が流れる様子を見せてこの子供達を引き付け、この遊戯装置で遊ばせるようにすることができる。【００１４】
この場合においても、ポールの内部を照明する光源を設ければ、イルミネーション効果やライトアップ効果を得ることができ、遊戯者及びこの遊戯装置の周りにいる人達を楽しませることができる。また、このような、イルミネーションで彩られたポールやライトアップされたポールを見た、この遊戯装置の周りにいる子供達に興味を持たせることができる。【００１５】
また、本発明は、
管状の部材且つ光を透過可能な部材から構成されて軸線が上下方向に配設され、遊戯者が登り降りするポールと、
管状の部材且つ光を透過可能な部材から構成されて前記ポールの内部に配設され、外周面に装飾が施された装飾体と、
光が前記装飾体の内側から外側に透過するように該装飾体の内部を照明する光源と、
前記ポール及び装飾体の上端部若しくは下端部又は両端部をそれぞれ支持するとともに、これらポール及び装飾体の一方又は両方が軸線中心に回転自在となるように支持する支持手段と、
前記ポール及び装飾体の一方又は両方を軸線中心に回転させる回転駆動手段とを備えてなることを特徴とする遊戯装置に係る。【００１６】
この遊戯装置によっても、子供などの遊戯者は、手足を使ってポールを登り降りすることで遊ぶことができる。また、装飾体の外周面に施された装飾を光源からの光によって際立たせ、装飾効果を高めることができる。更に、回転駆動手段によって装飾体やポールを軸線中心に回転させることで、当該遊戯装置の周りにいる子供達やポールに掴まった遊戯者から見て装飾体の表面に表れた模様などが変化するという面白さを得ることができるので、このような装飾を見た、当該遊戯装置の周りにいる子供達の興味を引いてこの遊戯装置で遊ばせるようにしたり、このような装飾を見た遊戯者に遊びをより楽しませることができる。【００１７】
尚、前記ポールは、その外周面に装飾が施されて構成されていても良い。このようにすれば、装飾体及びポールの両方の外周面に施された装飾によって装飾効果を更に高めることができる。【００１８】
また、上記各遊戯装置は、前記ポールの下端部側の周辺領域に設けられたクッションを更に備えていても良い。このようにすれば、遊戯者が誤ってポールから落下するようなことがあってもクッションによって衝撃を緩和し、怪我するのを効果的に防止することができる。【００１９】
また、上記各遊戯装置において、ポールの色、液体の色、光源からの光の色は、特に限定されるものではないが、遊戯者や、遊戯装置の周りにいる人達を視覚的に楽しませることができるものを採用することが好ましい。
【発明の効果】
【００２０】
以上のように、本発明に係る遊戯装置によれば、ポールやこの内部に設けた装飾体を回転させるようにしたので、遊戯者がより変化に富んだ遊びをしたり、遊戯者をより楽しく遊ばせたり、子供達の興味をより強く引くことができる。
【図面の簡単な説明】
【００２１】
【図１】本発明の一実施形態に係る遊戯装置の概略構成を示した斜視図である。
【図２】図１における矢示Ａ−Ａ方向の断面図である。
【図３】図１における矢示Ｂ−Ｂ方向の断面図である。
【図４】図３における矢示Ｃ−Ｃ方向の断面図である。
【図５】本実施形態に係る装飾体の一部を示した正面図である。
【図６】本発明の他の実施形態に係る遊戯装置の概略構成を示した斜視図である。
【図７】図６における矢示Ｄ−Ｄ方向の断面図である。
【図８】図６における矢示Ｅ−Ｅ方向の断面図である。
【図９】本発明の他の実施形態に係るポールの上端部などの概略構成を示した断面図である。
【図１０】本発明の他の実施形態に係るポールの下端部などの概略構成を示した断面図である。
【図１１】本発明の他の実施形態に係る第１遊戯部の概略構成を示した斜視図である。
【符号の説明】
【００２２】
１    遊戯装置
５    基台
６    上部部材
７    支柱
１０  第１遊戯部
１１  ポール
１２  支持機構
１３  上部支持部材
１４  下部支持部材
１５  回転駆動機構
１６  駆動モータ
１７，１８  歯車
２０  カバー体
３０  第２遊戯部
３１  ポール
３２  装飾体
３３  光源
３４  支持機構
３５  第１上部支持部材
３６  第１下部支持部材
３７  第２上部支持部材
３８  第２下部支持部材
３９  回転駆動機構
４０  駆動モータ
４１，４２  歯車
４４  上カバー体
４５  下カバー体
【発明を実施するための最良の形態】
【００２３】
以下、本発明の具体的な実施形態について、添付図面に基づき説明する。尚、図１は、本発明の一実施形態に係る遊戯装置の概略構成を示した斜視図であり、図２は、図１における矢示Ａ−Ａ方向の断面図であり、図３は、図１における矢示Ｂ−Ｂ方向の断面図である。また、図４は、図３における矢示Ｃ−Ｃ方向の断面図であり、図５は、本実施形態に係る装飾体の一部を示した正面図である。【００２４】
図１乃至図５に示すように、本例の遊戯装置１は、起立状態に配置され、子供などの遊戯者Ｙが登り降りするポール１１，３１をそれぞれ備えた第１遊戯部１０及び第２遊戯部３０と、これら第１遊戯部１０及び第２遊戯部３０がそれぞれ載置，固定される基台５と、基台５の上方に配置され、第１遊戯部１０及び第２遊戯部３０の上部がそれぞれ支持，固定される平板状の上部部材６と、基台５上に立設され、上部部材６を支持する支柱７とから構成される。【００２５】
前記第１遊戯部１０は、横断面形状が円形に形成された前記ポール１１と、ポール１１の上端部及び下端部を軸線中心に回転自在に支持する支持機構１２と、ポール１１をその軸線中心に回転させる回転駆動機構１５と、ポール１１の上端部近傍に設けられ、ポール１１の上端部まで登った遊戯者Ｙによって押される押しボタン１９と、ポール１１の下端部、支持機構１２の一部及び回転駆動機構１５を覆うカバー体２０とを備える。【００２６】
前記ポール１１は、その両端部間に、左右にくねるように形成された湾曲部１１ａを備え、この湾曲部１１ａ以外の部分の軸線が上下方向に沿って形成されており、その外周面には装飾１１ｂが施されている。前記装飾１１ｂは、例えば、ポール１１の外周面に表された適宜彩色の縞模様などからなる。尚、前記装飾１１ｂは、縞模様に限定されず、動物や魚、昆虫、人などを表現した模様であっても良く、また、模様に限定されるものでもない。【００２７】
前記支持機構１２は、上部部材６の下面に配設され、ポール１１の上端部を支持する上部支持部材１３と、基台５の上面に配設され、ポール１１の下端部を支持する下部支持部材１４とからなり、各支持部材１３，１４は、その内部に軸線が上下方向に沿って設けられた軸受（図示せず）を備え、この軸受（図示せず）によってポール１１を軸受（図示せず）の軸線中心に回転自在に支持している。【００２８】
前記回転駆動機構１５は、前記下部支持部材１４の近傍となる基台５の上面に、出力軸の軸線が上下方向に沿って配設された駆動モータ１６と、駆動モータ１６の出力軸に固設された第１歯車１７と、ポール１１の下端部側外周面に設けられ、第１歯車１７と噛合する第２歯車１８とからなり、駆動モータ１６の回転動力が第１歯車１７及び第２歯車１８を介してポール１１に伝達されることで、当該ポール１１が回転する。【００２９】
前記押しボタン１９は、前記上部支持部材１３の下面に取り付けられるもので、遊戯者Ｙによって押されると、例えば、音声（音楽や人の声など）を出力する回路のスイッチが入って音声が出力されたり、ランプを点灯させる回路のスイッチが入ってランプが点灯するようになっている。【００３０】
前記カバー体２０は、ポール１１の下端部，下部支持部材１４及び回転駆動機構１５を上側から覆って遊戯者Ｙが怪我するのを防止する。また、カバー体２０には、ポール１１の下端部が挿通される貫通穴２０ａが形成されている。【００３１】
前記第２遊戯部３０は、円管状をした透明な部材から構成され、軸線が上下方向に配設された前記ポール３１と、同じく円管状をした透明な部材から構成されてポール３１の内部にこのポール３１と同軸に配設され、外周面に装飾３２ａが施された装飾体３２と、装飾体３２の内部に設けられる光源３３と、ポール３１及び装飾体３２の両端部をそれぞれ支持するとともに、装飾体３２をその軸線中心に回転自在に支持する支持機構３４と、装飾体３２をその軸線中心に回転させる回転駆動機構３９と、ポール３１の上端部近傍に設けられ、ポール３１の上端部まで登った遊戯者Ｙによって押される押しボタン４３と、ポール３１の上端部、装飾体３２の上端部及び支持機構３４の一部を覆う上カバー体４４と、ポール３１の下端部、装飾体３２の下端部、支持機構３４の一部及び回転駆動機構３９を覆う下カバー体４５とを備える。【００３２】
前記装飾体３２は、ポール３１よりも長く形成され、両端部がポール３１の両端部からそれぞれ突出している。前記装飾３２ａは、例えば、装飾体３２の外周面に表された適宜彩色の縞模様（例えば、白色，青色，赤色の散髪屋の看板に類似したもの）などからなるが、このような模様に限定されるものではなく、動物や魚、昆虫、人などを表現した模様であっても良い。また、模様に限定されるものでもない。【００３３】
前記光源３３は、装飾体３２の内部を照明するもので、例えば、蛍光灯などから構成され、その両端部が、上部部材６の下面に設けられた支持部３３ａ及び基台５の上面に設けられた支持部３３ｂによって支持されている。尚、光源３３は、蛍光灯に代えて白熱電球や発光ダイオードなどを採用するようにしても良い。また、光源３３からの光の色は特に限定されるものではない。【００３４】
前記支持機構３４は、上部部材６の下面に配設され、装飾体３２の上端部を支持する第１上部支持部材３５と、基台５の上面に配設され、装飾体３２の下端部を支持する第１下部支持部材３６と、上部部材６の下面に配設され、ポール３１の上端部を支持する第２上部支持部材３７と、基台５の上面に配設され、ポール３１の下端部を支持する第２下部支持部材３８とからなる。【００３５】
前記第１上部支持部材３５及び第１下部支持部材３６は、その内部に軸線が上下方向に沿って設けられた軸受（図示せず）を備え、この軸受（図示せず）によって装飾体３２を軸線中心に回転自在に支持している。一方、前記第２上部支持部材３７及び第２下部支持部材３８は、ポール３１の上端部及び下端部が嵌挿される嵌挿穴３７ａ，３８ａを備え、この嵌挿穴３７ａ，３８ａによりポール３１を非回転に支持している。【００３６】
前記回転駆動機構３９は、前記第１下部支持部材３６の近傍となる基台５の上面に、出力軸の軸線が上下方向に沿って配設された駆動モータ４０と、駆動モータ４０の出力軸に固設された第１歯車４１と、装飾体３２の下端部側外周面に設けられ、第１歯車４１と噛合する第２歯車４２とからなり、駆動モータ４０の回転動力が第１歯車４１及び第２歯車４２を介して装飾体３２に伝達されることで、当該装飾体３２が回転する。【００３７】
前記押しボタン４３は、前記上カバー体４４の下面に取り付けられるもので、遊戯者Ｙによって押されると、例えば、音声（音楽や人の声など）を出力する回路のスイッチが入って音声が出力されたり、ランプを点灯させる回路のスイッチが入ってランプが点灯するようになっている。【００３８】
前記上カバー体４４は、ポール３１の上端部、装飾体３２の上端部及び各上部支持部材３５，３７を下側から覆って遊戯者Ｙが怪我するのを防止する。前記下カバー体４５は、ポール３１の下端部、装飾体３２の下端部、各下部支持部材３６，３８及び回転駆動機構３９を上側から覆って遊戯者Ｙが怪我するのを防止する。また、上カバー体４４には、ポール３１の上端部が挿通される貫通穴４４ａが形成され、下カバー体４５には、ポール３１の下端部が挿通される貫通穴４５ａが形成されている。【００３９】
尚、前記基台５の上面や前記カバー体２０の外面、前記下カバー体４５の外面は、図示しない衝撃吸収材によって覆われており、これによっても、ポール１１，３１から落下した遊戯者Ｙが怪我しないように構成されている。【００４０】
以上のように構成された本例の遊戯装置１によれば、第１遊戯部１０では、遊戯者Ｙは、回転駆動機構１５によって軸線中心に回転せしめられるポール１１を手足を使って登り降りすることで遊ぶことができる。ポール１１が軸線中心に回転しているので、遊戯者Ｙは、ポール１１とともに回転するときの感覚を楽しみつつ当該遊びを楽しむことができる。【００４１】
一方、第２遊戯部２０では、遊戯者Ｙは、回転駆動機構３９によって軸線中心に回転せしめられる装飾体３２が内部に設けられたポール３１を手足を使って登り降りすることで、装飾体３２の外周面に施された縞模様の変化を楽しみながら遊ぶことができる。【００４２】
尚、ポール１１，３１の上端部まで登った遊戯者Ｙによって押しボタン１９，４３が押されると、例えば、音楽が鳴ったり、人の声で「よくできました。」という音声が出力されたり、ランプが点灯するので、当該遊びがより面白いものとなっている。【００４３】
斯くして、本例の遊戯装置１によれば、遊戯者Ｙは、ポール１１を登り降りする遊戯者Ｙ自身の動作と、ポール１１の回転動作とが複合して、従来にはない変化に富んだ遊びや感覚を楽しむことができたり、回転する装飾体３２に施された装飾３２ａを楽しみながら遊ぶことができる。【００４４】
また、ポール１１や遊戯者Ｙ、装飾体３２の回転動作を見た、当該遊戯装置１の周りにいる子供達に対し、当該遊戯装置１で遊びたいという興味を持たせてこの遊戯装置１で遊ばせるようにすることもできる。【００４５】
また、ポール１１に湾曲部１１ａを形成したので、ポール１１自体に変化を持たせて、ポール１１がまっすぐに形成されているときよりもポール１１の登り降りに変化を持たせたり、ポール１１の登り降りを難しくすることができ、当該遊戯装置１での遊びをより面白いものとすることができる。【００４６】
また、装飾体３２の内部に光源３３を設けることで、この装飾体３２の外周面に施された装飾３２ａを光源３３からの光によって際立たせ、装飾効果をより高めることができる。また、ポール１１や装飾体３２を軸線中心に回転させることで、ポール１１や装飾体３２の表面に表れた模様などが変化するという面白さを得ることができ、子供達の興味を強く引くことができる。【００４７】
また、基台５の上面や前記カバー体２０の外面、前記下カバー体４５の外面を衝撃吸収材（図示せず）によって覆ったので、遊戯者Ｙが誤ってポール１１，３１から落下するようなことがあってもこの衝撃吸収材（図示せず）がクッションとして機能し、怪我するのを効果的に防止することができる。【００４８】
以上、本発明の一実施形態について説明したが、本発明の採り得る具体的な態様は、何らこれに限定されるものではない。【００４９】
例えば、前記第１遊戯部１０において、前記ポール１１を円管状の部材且つ透明な部材から構成し、このポール１１の内部に光源を設けるようにしても良い。このようにすれば、第２遊戯部３０の装飾体３２のように、光源からの光によってポール１１の外周面に施された装飾１１ｂを際立たせ、装飾効果をより高めることができる。【００５０】
また、上例の前記第２遊戯部３０では、回転駆動機構３９によって装飾体３２を軸線中心に回転させるように構成したが、これに限られるものではなく、装飾体３２を非回転とし、ポール３１の方を軸線中心に回転させるようにしても良い。このようにすれば、ポール３１に掴まった遊戯者Ｙがポール３１とともに回転することで、装飾体３２の表面に表れた模様などが変化するという面白さを楽しませることができる。また、ポール３１及び装飾体３２の両方を回転させるようにすることができ、この場合、同方向に回転させても良いし、反対方向に回転させても良い。また、回転速度は同じでも、異ならせてもどちらでも良い。【００５１】
また、ポール３１の外周面にも装飾を施すようにしても良く、このようにすれば、装飾体３２及びポール３１の両方の外周面に施された装飾によって装飾効果を更に高めることができる。また、前記ポール３１及び装飾体３２は、透明な部材の他、半透明な部材などから構成することもできるが、光を透過可能な部材であれば、どのようなものを採用しても良い。【００５２】
また、前記遊戯装置１は、前記第１遊戯部１０及び第２遊戯部３０に代えて、図６乃至図１０に示すような第１遊戯部５０及び第２遊戯部８０を備えた遊戯装置２として構成しても良い。尚、以下の説明において、前記遊戯装置１と同じ構成部分については、同一の符号を付してその詳しい説明を省略する。また、図６は、本発明の他の実施形態に係る遊戯装置の概略構成を示した斜視図であり、図７は、図６における矢示Ｄ−Ｄ方向の断面図であり、図８は、図６における矢示Ｅ−Ｅ方向の断面図である。また、図９は、本発明の他の実施形態に係るポールの上端部などの概略構成を示した断面図であり、図１０は、本発明の他の実施形態に係るポールの下端部などの概略構成を示した断面図である。【００５３】
前記第１遊戯部５０は、円管状をした透明な部材からなるポール５１と、ポール５１の上端部及び下端部を軸線中心に回転自在に支持する支持機構５５と、ポール５１の内部に空気を供給する空気供給機構６５と、ポール５１の内部を照明する照明機構７０と、前記回転駆動機構１５及び押しボタン１９と、ポール５１の上端部及び支持機構５５の一部を覆う上カバー体７６と、ポール５１の下端部、支持機構５５の一部及び回転駆動機構１５を覆う下カバー体７７とを備える。【００５４】
前記ポール５１は、その両端部間に、左右にくねるように形成された湾曲部５１ａを備え、この湾曲部５１ａ以外の部分の軸線が上下方向に沿って形成される。また、ポール５１は、基台５の上面及び上部部材６の下面から一定間隔を隔てて配置される。また、ポール５１の下端部には中空の封止部材５２が設けられており、この封止部材５２は、ポール５１の下端部外周面と基台５の上面にそれぞれ接続してポール５１の下端部と基台５との間に閉塞空間を形成し、これによって、ポール５１の下端部を封止している。更に、ポール５１の内部及び前記閉塞空間内には液体Ｌが充填されている。【００５５】
尚、ポール５１及び液体Ｌの色は、遊戯者Ｙや、遊戯装置２の周りにいる人達を視覚的に楽しませることができるのであれば、どのような色であっても良い。また、ポール５１は、気泡Ｋが流れる様子を外部から視認可能であれば、透明ではなく、半透明のものから構成するなど、どのようなものを採用しても良い。また、ポール５１の外周面には、上述したような装飾を施すようにしても良い。また、ポール５１の上端開口部には、通気性を有する部材が設けられていても良い。【００５６】
前記支持機構５５は、上部部材６の下面に配設され、ポール５１の上端部を支持する上部支持体５６と、基台５の上面に配設され、ポール５１の下端部を支持する下部支持体５９とからなる。【００５７】
前記上部支持体５６は、軸線が上下方向に沿って配置された軸受５７と、上部部材６の下面に配設され、軸受５７を保持する中空の保持部材５８とからなり、軸受５７によって、ポール５１がこの軸受５７の軸線中心に回転自在となるようにポール５１の上端部を支持する。前記保持部材５８には、その外周面から内周面に貫通する複数の貫通穴５８ａが形成されている。【００５８】
前記下部支持体５９は、軸線が上下方向に沿って配置された軸受６０と、基台５の上面且つ封止部材５２の外側に配設され、軸受６０を保持する中空の保持部材６１とからなり、軸受６０によって、ポール５１がこの軸受６０の軸線中心に回転自在となるようにポール５１の下端部を支持する。【００５９】
前記回転駆動機構１５は、第２歯車１８がポール５１の下端部側外周面に設けられており、ポール５１を軸受５７，６０の軸線中心に回転させる。【００６０】
前記空気供給機構６５は、基台５上に配設されたエアポンプ６６と、一端がエアポンプ６６に接続し、他端が前記閉塞空間内に接続してポール５１の下端部の下方に配置される供給管６７とからなる。そして、この空気供給機構６５では、エアポンプ６６により供給管６７を介して前記閉塞空間内に空気が供給されると、供給された空気が気泡Ｋとなって閉塞空間内及びポール５１内の液体Ｌ中を上昇する。【００６１】
尚、ポール５１の内部に供給された空気は、ポール５１の内部を上昇した後、保持部材５８の貫通穴５８ａ及び上カバー体７６の貫通穴７６ａを通って外部に排気される。また、エアポンプ６６による前記閉塞空間内への空気の供給は、連続的に行うようにしても、断続的に行うようにしても、いずれでも良い。【００６２】
前記照明機構７０は、ポール５１をその下側から照明する第１光源７１と、ポール５１をその上側から照明する第２光源７２とからなり、第１光源７１は、前記閉塞空間内の基台５上に配設され、第２光源７２は、ポール５１の真上に位置するように上部部材６の下面に配設される。そして、この照明機構７０では、第１光源７１及び第２光源７２からの光によってポール５１の内部が照明される。【００６３】
尚、光源７１，７２としては、例えば、発光ダイオードや白熱電球、蛍光灯などを挙げることができるが、これらに限定されるものではない。また、光源７１，７２からの光の色は、遊戯者Ｙや、遊戯装置２の周りにいる人達を視覚的に楽しませることができるのであれば、どのような色であっても良い。【００６４】
前記上カバー体７６は、上部支持体５６を下側から覆って遊戯者Ｙが怪我するのを防止する。また、上カバー体７６には、ポール５１の上端部が挿通される貫通穴７６ａが形成されている。一方、前記下カバー体７７は、下部支持体５９，回転駆動機構１５及び空気供給機構６５を上側から覆って遊戯者Ｙが怪我するのを防止する。また、下カバー体７７には、ポール５１の下端部が挿通される貫通穴７７ａが形成されている。【００６５】
尚、前記基台５の上面や下カバー体７７の外面は、図示しない衝撃吸収材によって覆われており、このことによっても、遊戯者Ｙが怪我しないようになっている。【００６６】
前記第２遊戯部８０は、ポール５１とは異なる形状のポール８１が設けられている点、前記回転駆動機構３９及び押しボタン４３が設けられている点で前記第１遊戯部５０と相違する。このポール８１は、円管状をした透明な部材からなり、軸線が上下方向に配設されている。尚、前記第１遊戯部５０と同じ構成部分については、同一の符号を付してその詳しい説明を省略する。【００６７】
このように構成された遊戯装置２によれば、回転駆動機構１５，３９によりポール５１，８１が軸線中心に回転せしめられ、また、空気供給機構６５により前記閉塞空間内に供給された空気が気泡Ｋとなってポール５１，８１の内部の液体Ｌ中を上昇し、更に、照明機構７０からの光によってポール５１，８１の内部が照明される。そして、遊戯者Ｙは、このようなポール５１，８１を手足を使って登り降りすることで遊ぶことができる。【００６８】
したがって、この遊戯装置２によれば、遊戯者Ｙは、液体Ｌ中を下端部側から上端部側に向けて気泡Ｋが流れる様子を見ながらポール５１，８１を登り降りすることができるので、遊戯者Ｙをより楽しく遊ばせることができる。また、この遊戯装置２の周りにいる子供達に気泡Ｋが流れる様子を見せてこの子供達を引き付け、この遊戯装置２で遊ばせるようにすることができる。【００６９】
また、照明機構７０からの光によりポール５１，８１の内部を照明することによってイルミネーション効果やライトアップ効果を得ることができ、遊戯者Ｙ及びこの遊戯装置２の周りにいる人達を楽しませることができる。また、このような、イルミネーションで彩られたポール５１，８１やライトアップされたポール５１，８１を見た、この遊戯装置２の周りにいる子供達に興味を持たせることができる。【００７０】
また、このような効果以外にも、上述した効果と同様の効果を得ることもできる。【００７１】
前記ポール１１，３１，５１，８１の形状は、上述したものに何ら限定されるものではなく、各種形状のものを採用することができる。また、ポール１１，５１には、湾曲部１１ａ，５１ａに代えて屈曲部が設けられていても良い。また、ポール１１は、例えば、図１１に示すように、その上端側が反るように形成しても良く、ポール５１についても、同様の形状とすることができる。このように、屈曲部を設けたり、上端側を反らせるようにしても、ポール１１，５１自体に変化を持たせて上記と同様の効果を得ることができる。尚、図１１に示したポール１１の場合、ポール１１の上端部を支持する上部支持部材１３は省略される。【００７２】
また、ポール１１，３１，５１，８１の支持形態は、特に限定されるものではなく、上端部若しくは下端部のみを支持したり、上端部及び下端部の両方を支持するようにしても良い。【００７３】
また、前記基台５の上面や前記カバー体２０の外面、前記下カバー体４５の外面、前記下カバー体７７の外面を覆う衝撃吸収材は、特に限定されるものではないが、例えば、エア，ばね，ゴム，スポンジなどを利用したクッションを挙げることができる。【００７４】
また、光源３３，７１，７２の配置位置は、装飾体３２の内部やポール５１，８１の内部を照明することができれば、特に限定されるものではない。
【産業上の利用可能性】
【００７５】
以上詳述したように、本発明は、遊戯者がより変化に富んだ遊びをすることや、遊戯者をより楽しく遊ばせること、子供達の興味をより強く引くことができる遊戯装置として、好適である。
【図１】
2008029826.tif 000003
【図２】
2008029826.tif 000004
【図３】
2008029826.tif 000005
【図４】
2008029826.tif 000006
【図５】
2008029826.tif 000007
【図６】
2008029826.tif 000008
【図７】
2008029826.tif 000009
【図８】
2008029826.tif 000010
【図９】
2008029826.tif 000011
【図１０】
2008029826.tif 000012
【図１１】
2008029826.tif 000013
【国際調査報告】
2008029826.tif 000014
2008029826.tif 000015
2008029826.tif 000016
2008029826.tif 000017